(57)【要約】  【課題】  周期予約設定がなされている映像情報処理装置において、予約情報の消去忘れによる余分な録画を未然に防ぐことができる映像情報処理装置を提供する。  【解決手段】  映像情報の再生中に再生処理が中断された場合（Ｓ２０）に、再生中であったコンテンツが、周期予約されているコンテンツであるかどうかを確認し（Ｓ３０）、周期予約コンテンツである場合、ユーザーに対して周期予約の解除を確認するメッセージを表示させる（Ｓ４０）。これにより、ユーザーは、現在視聴しているコンテンツの放送が既に終了しており、今後は周期予約が必要でない場合に、周期予約の解除を確実に行うことができる。【選択図】      図１
2007058909.tif 000002
【特許請求の範囲】
【請求項１】
映像情報の記憶処理を、ユーザーからの指示に基づき、指定された日時に自動的に行う
周期予約機能
を備えたハードディスクレコーダにおいて、
制御部が、前記映像情報の再生中に再生停止処理を受けた際に、前記映像情報が周期予
約機能により周期予約設定が行われている番組と同一のタイトルを保持しているかを確認
する周期予約確認手段と、
前記周期予約確認手段において、同一のタイトルを保持していると判断された場合に、
ユーザーに対して前記映像情報の周期予約設定の消去を行うための確認メッセージを表示
し、ユーザーからの指示を待ち受ける周期予約消去確認手段と、
前記制御部が、前記映像情報の再生中に再生停止処理を受けた際に、前記映像情報が前
記周期予約機能により周期予約設定が行われている番組と同一タイトルの映像情報の中で
、最も新しい日時に記憶されたものであるかどうかを確認し、最も新しい日時に記憶され
ものである場合のみ、前記周期予約消去確認手段を用いる記憶日時確認手段と、
前記制御部が、前記映像情報の再生中に再生停止処理を受けた際に、前記映像情報の再
生処理済み割合を確認し、前記処理済み割合が予め定められた一定割合を越ている場合の
み、前記周期予約消去確認手段を用いる再生割合確認手段と、
を備えたことを特徴とするハードディスクレコーダ。
【請求項２】
映像情報の記憶処理を、ユーザーからの指示に基づき、指定された日時に自動的に行う
周期予約機能
を備えた映像情報処理装置において、
制御部が、前記映像情報の再生中に再生停止処理を受けた際に、前記映像情報が周期予
約機能により周期予約設定が行われている番組と同一の表題を保持しているかを確認する
周期予約確認手段と、
前記周期予約確認手段において、同一の表題を保持していると判断された場合に、ユー
ザーに対して前記映像情報の周期予約設定の消去を行うための情報を表示し、ユーザーか
らの指示を待ち受ける周期予約消去確認手段と、
を備えたことを特徴とする映像情報処理装置。
【請求項３】
前記制御部が、前記映像情報の再生中に再生停止処理を受けた際に、前記映像情報が前
記周期予約機能により周期予約設定が行われている番組と同一表題の映像情報の中で、最
も新しい日時に記憶されたものであるかどうかを確認し、最も新しい日時に記憶されもの
である場合のみ、前記周期予約消去確認手段を用いる記憶日時確認手段
を備えたことを特徴とする請求項２に記載の映像情報処理装置。
【請求項４】
前記制御部が、前記映像情報の再生中に再生停止処理を受けた際に、前記映像情報の再
生処理済み割合を確認し、前記処理済み割合が予め定められた一定割合を越ている場合の
み、前記周期予約消去確認手段を用いる再生割合確認手段
を備えたことを特徴とする請求項２または請求項３に記載の映像情報処理装置。
【請求項５】
映像情報の記憶処理を、ユーザーからの指示に基づき、指定された日時に自動的に行う
周期予約機能
を備えた映像情報処理方法において、
制御部が、前記映像情報の再生中に再生停止処理を受けた際に、前記映像情報が周期予
約機能により周期予約設定が行われている番組と同一のタイトルを保持しているかを確認
する周期予約確認工程と、
前記周期予約確認工程において、同一のタイトルを保持していると判断された場合に、
ユーザーに対して前記映像情報の周期予約設定の消去を行うための確認メッセージを表示
し、ユーザーからの指示を待ち受ける周期予約消去確認工程と、
前記制御部が、前記映像情報の再生中に再生停止処理を受けた際に、前記映像情報が前
記周期予約機能により周期予約設定が行われている番組と同一タイトルの映像情報の中で
、最も新しい日時に記憶されたものであるかどうかを確認し、最も新しい日時に記憶され
ものである場合のみ、前記周期予約消去確認工程を用いる記憶日時確認工程と、
前記制御部が、前記映像情報の再生中に再生停止処理を受けた際に、前記映像情報の再
生処理済み割合を確認し、前記処理済み割合が予め定められた一定割合を越ている場合の
み、前記周期予約消去確認工程を用いる再生割合確認工程と、
を備えたことを特徴とする映像情報処理方法。
【請求項６】
映像情報の記憶処理を、ユーザーからの指示に基づき、指定された日時に自動的に行う
周期予約機能
を備えた映像情報処理方法において、
制御部が、前記映像情報の再生中に再生停止処理を受けた際に、前記映像情報が周期予
約機能により周期予約設定が行われている番組と同一の表題を保持しているかを確認する
周期予約確認工程と、
前記周期予約確認工程において、同一の表題を保持していると判断された場合に、ユー
ザーに対して前記映像情報の周期予約設定の消去を行うための情報を表示し、ユーザーか
らの指示を待ち受ける周期予約消去確認工程と、
を備えたことを特徴とする映像情報処理方法。
【請求項７】
前記制御部が、前記映像情報の再生中に再生停止処理を受けた際に、前記映像情報が前
記周期予約機能により周期予約設定が行われている番組と同一表題の映像情報の中で、最
も新しい日時に記憶されたものであるかどうかを確認し、最も新しい日時に記憶されもの
である場合のみ、前記周期予約消去確認工程を用いる記憶日時確認工程
を備えたことを特徴とする請求項６に記載の映像情報処理方法。
【請求項８】
前記制御部が、前記映像情報の再生中に再生停止処理を受けた際に、前記映像情報の再
生処理済み割合を確認し、前記処理済み割合が予め定められた一定割合を越ている場合の
み、前記周期予約消去確認工程を用いる再生割合確認工程
を備えたことを特徴とする請求項６または請求項７に記載の映像情報処理方法。
【発明の詳細な説明】
【技術分野】
【０００１】
本発明は、映像情報処理方法、および映像情報処理装置に関するものであり、特に録画
処理が定められた日時に自動的に行われるように録画設定されている映像情報処理装置に
おける録画設定解除方法に関する。
【背景技術】
【０００２】
近年、テレビ等の映像装置において処理される映像および音声の記録および再生を行う
ための装置として、ビデオテープレコーダやＤＶＤ（Digital Versatile Disk）レコーダ
、或いはＨＤＤ（Hard Disk Drive）レコーダ等の映像情報処理装置が広く普及している
。これらの映像情報処理装置は通常、映像および音声の記録（録画）を特定の日時に自動
的に行うための機能（予約録画機能）を備えている。
【０００３】
しかしながら予約録画機能を用いた録画の予約設定を行う場合、通常の録画を行う場合
と比較して、ユーザーに必要とされる操作手順が多い（録画日時やチャンネル等の各種情
報を入力しなければならない）という問題があった。また、ユーザーの操作ミスや番組の
改編等により、ユーザーが意図しない番組が録画されてしまうという可能性があった。こ
のため、できる限り簡易かつ確実に予約設定を行うことができる予約録画機能を実現する
ため、様々な発明がなされてきた。
【０００４】
上記の問題を解決するための機能の一つに、周期予約機能がある。周期予約機能とは、
連続番組（例えばテレビドラマのように、毎週決まった時間帯に複数回に渡って放送され
る番組）を自動的に録画するための機能である。ユーザーは録画する連続番組の放送曜日
、放送時間、放送チャネル、および放送回数（放送話数）等を一度設定すれば、毎週自動
的に番組の録画が行われる。このため、ユーザーが繰り返し録画予約を行う手間が省かれ
るとともに、予約漏れや予約ミスを防ぐといった効果があった。
【０００５】
上記の周期予約機能に関連して特許文献１では、連続番組を録画日時の古い順に連続し
て自動的に録画する機能と、録画日時の古い順に連続して自動的に再生する機能とを備え
た映像情報処理装置が開示されている。
【０００６】
通常、ビデオテープ等に代表されるランダムアクセス機能を持たないメディアに対して
連続番組を録画する場合、ユーザーが録画前に録画開始位置を調整してから、予約録画待
機状態に移行させなければならない。また、連続番組の間に他の番組が混在して録画され
た場合、ユーザーは再生時に、他の番組をＶＩＳＳサーチや早送り等により飛び越して、
次の連続番組の録画開始位置を探さなければならない。
【０００７】
これに対して、特許文献１に開示されている映像情報処理装置は、ビデオテープに対し
て録画予定番組のインデックス情報に基づいた録画を行う場合に、カセットがデッキに挿
入された際に、既に記憶されている録画済みの番組と録画予定の番組が同一番組かを判定
する。判定の結果、同一番組であると判断された場合、同一番組を連続して録画する。ま
た再生時においても、番組識別情報により同一番組を検出すると共に録画日時を読み出す
ことにより、自動的に同一番組を録画日時の古い順に再生する。
【０００８】
これにより、連続番組をテープ上に位置を連続させて録画日時の古い順に自動的に録画
することができるため、ユーザーは録画を行う毎に録画開始位置の調整を行う必要がなく
なる。また、録画日時順に録画されていないテープについても、録画日時順に連続して自
動的に再生するため、再生中頭出しを行う必要が無くなる。このように、周期予約機能を
使用する際の利便性が向上するという効果がある。
【０００９】
また上記に関連して特許文献２では、連続番組の予約録画において、同一番組をメディ
アの同じ場所に上書きして録画できる映像情報処理装置が開示されている。
【００１０】
従来のビデオテープデッキでは、連続番組の録画に一つのテープを継続して使用した場
合、いずれはテープを入れ換える必要性が発生する。すなわち、一つのテープをビデオテ
ープデッキに長時間入れたまま使用し続けることは不可能である。また予約録画の設定は
、番組毎に毎回行う必要があり、録画開始位置もユーザーがその都度調整せねばならない
。また常に管理を行わないと、自分の見たい番組がどこ録画されているか分からなくなる
場合が多く、この場合、早送り機能等を使用して録画内容の確認を行う必要がある。
【００１１】
これに対して、特許文献２に開示されている映像情報処理装置は、ユーザーの入力する
連続番組の予約録画情報をもとに、同一番組がテープ内の同一の記録位置に毎回録画され
るように、各番組のテープ中での録画開始位置の調整を行うことを特徴としている。この
ため、長時間一つのテープをビデオテープデッキに入れたまま使用し続けることができる
。また、録画開始位置の調整は、初回の予約設定時にのみ行えば良く、毎回行う必要がな
い。また、自分の見たい番組がの録画位置が分からない場合でも、簡易な操作で検索が可
能である。
【００１２】
しかしながら、上記の特許文献１および特許文献２においては、録画予約の設定に関す
る利便性を向上させるための発明は開示されているが、録画予約の消去に関する利便性向
上のための発明は開示も示唆もされていない。そのため例えば、放送が終了している番組
に対して録画予約設定がなされている場合などは、予約録画設定の解除忘れにより、余分
な録画処理が行われる可能性がある。この場合、録画用の記憶媒体（テープやＨＤＤなど
）が無駄に使用されることとなる。また例えば、エピソード予約のように録画話数を指定
して予約録画を行う方式の場合、予め録画のために確保されるＨＤＤの容量が限定されて
いる。このため、放送終了後に余分な録画行うと、録画日が一番古いデータ（例えば番組
の第一話）が上書きされて消去されてしまうという可能性もある。このように、周期予約
機能は予約操作の利便性を向上させる反面、ユーザーが正しい運用を行わなければ、かえ
ってユーザーに不利益をもたらすという問題があった。
【特許文献１】特開平０７−１４３６９号公報
【特許文献２】特開平０９−１６３２８０号公報
【発明の開示】
【発明が解決しようとする課題】
【００１３】
本発明は、上記の問題を解決するためになされたものであって、その目的は、定期的な
録画の予約設定（周期予約設定）がなされている場合において、予約情報の消去忘れによ
り余分な録画が行われることを防ぎ、録画に用いられる資源（ビデオテープ、ＨＤＤ等）
が無駄に消費されることを防止する機能を備えた映像情報処理装置を提供することにある
。
【課題を解決するための手段】
【００１４】
上記目的を達成するために本発明の映像情報処理装置は、
映像情報の記憶処理を、ユーザーからの指示に基づき、指定された日時に自動的に行う
周期予約機能
を備えた映像情報処理装置において、
制御部が、前記映像情報の再生中に再生停止処理を受けた際に、前記映像情報が周期予
約機能により周期予約設定が行われている番組と同一の表題を保持しているかを確認する
周期予約確認手段と、
前記周期予約確認手段において、同一の表題を保持していると判断された場合に、ユー
ザーに対して前記映像情報の周期予約設定の消去を行うための情報を表示し、ユーザーか
らの指示を待ち受ける周期予約消去確認手段と、
を備えたことを特徴としている。
【００１５】
この構成によると、
コンテンツ（映像情報）の再生中に、再生処理がユーザーからの支持により中断された
場合に、再生中であったコンテンツが、周期予約（定められた日時に繰り返し録画を行う
ための予約）設定されているコンテンツと同名のタイトル（表題）を持つかを確認する。
同名のタイトルを持つ場合、モニター等を利用して、ユーザーに対して周期予約の消去、
もしくは一時解除を行うかどうか確認するためのメッセージを表示し、ユーザーからの指
示待ちの状態に入る。
【００１６】
また、上記目的を達成するために本発明の映像情報処理装置は、
前記制御部が、前記映像情報の再生中に再生停止処理を受けた際に、前記映像情報が前
記周期予約機能により周期予約設定が行われている番組と同一表題の映像情報の中で、最
も新しい日時に記憶されたものであるかどうかを確認し、最も新しい日時に記憶されもの
である場合のみ、前記周期予約消去確認手段を用いる記憶日時確認手段
を備えたことを特徴としている。
【００１７】
この構成によると、
コンテンツの再生中に、再生処理がユーザーからの支持により中断された場合に、再生
中であったコンテンツが周期予約設定されている番組（コンテンツ）と同名のタイトルを
持ち、かつ同名のタイトルを持つコンテンツの中で最も最近に録画された（録画日時の日
付が最も新しい）コンテンツであるかどうかを確認する。前記両方の条件を満たす場合に
のみ、モニター等を利用して、ユーザーに対して周期予約の消去、もしくは一時解除を行
うかどうか確認するためのメッセージを表示し、ユーザーからの指示待ちの状態に入る。
【００１８】
また、上記目的を達成するために本発明の映像情報処理装置は、
前記制御部が、前記映像情報の再生中に再生停止処理を受けた際に、前記映像情報の再
生処理済み割合を確認し、前記処理済み割合が予め定められた一定割合を越ている場合の
み、前記周期予約消去確認手段を用いる再生割合確認手段
を備えたことを特徴としている。
【００１９】
この構成によると、
コンテンツの再生中に、再生処理がユーザーからの支持により中断された場合に、再生
中であったコンテンツが周期予約設定されている番組と同名のタイトルを持ち、かつ予め
定められた再生割合を超えて再生が行われている場合（例えば録画時間の半分以上が再生
済みである場合等）、モニター等を利用して、ユーザーに対して周期予約の消去、もしく
は一時解除を行うかどうか確認するためのメッセージを表示し、ユーザーからの指示待ち
の状態に入る。
【発明の効果】
【００２０】
本発明の第一の構成によれば、
ユーザーは、現在視聴しているコンテンツの放送が既に終了しており、今後は周期予約
が必要でない場合において、周期予約設定画面で周期予約の消去を行う必要が無い。ユー
ザーは、コンテンツの再生停止後に行われる周期予約の解除確認により、確実、かつ簡易
な方法で、周期予約の消去、または一時解除を行うことができる。このため、周期予約の
解除忘れにより、余分な録画処理が行われることを未然に防ぐことが可能である。これは
ユーザーの利便性を向上させると共に、エピソード予約（あらかじめ録画話数を指定して
周期予約を行う予約）などを使用している場合において、余分な録画処理によりこれまで
録画したコンテンツの一部が強制的に削除されてしまうといった不具合の発生を防ぐこと
ができ、データの保全性を高めることができる。
【００２１】
また、本発明の第二の構成によれば、
再生しているコンテンツが最新のコンテンツ（録画された日時が、同一タイトルの中で
最も新しいコンテンツ）である場合にのみ確認メッセージ（周期予約を解除を行うかどう
かをユーザーに選択させるためのメッセージ）が表示される。このため、例えば同一のタ
イトルの複数コンテンツを連続して再生する（例えば連続ドラマを一話から四話まで連続
して再生する）場合などにおいて、コンテンツの再生停止が発生する度に、何度も同じ確
認メッセージが表示されることがない。このため、ユーザーが再生停止の度に同じ操作（
周期予約設定を消去するかどうかの操作）を強制されるといった弊害を防止することが可
能である。
【００２２】
また、本発明の第三の構成によれば、
再生中断を行ったコンテンツの再生割合が、予め定められた一定割合を越えない限り
（例えば、コンテンツが半分以上再生されていない等）確認メッセージが表示されない。
このため、例えばあるコンテンツの再生中に何度も再生停止を行った場合等に、再生停止
が行われる毎に何度も同じ確認メッセージが表示されることがない。このため、ユーザー
が再生停止の度に同じ操作（周期予約設定を消去するかどうかの操作）を強制されるとい
った弊害を防止することが可能である。
【発明を実施するための最良の形態】
【００２３】
本発明の実施の一形態について、図面に基づいて説明すれば、以下の通りである。
［実施の形態１］
〈１−１．ＨＤＤレコーダの内部構成について〉
ここで、本発明の第一の実施形態におけるＨＤＤレコーダ１の電気回路システムの要部
構成を、図４のブロック図を用いながら説明する。
【００２４】
図４のブロック図に示すように、本発明のＨＤＤレコーダ１は、少なくとも、制御部１
１、メモリ１２、ＨＤＤ１３、データ入力部１４、エンコーダ部１５、デコーダ部１６、
データ出力部１７、プログラム記憶部１８、操作ボタン群２１、およびフロントパネル２
２を含むように構成されている。
【００２５】
制御部１１は、ＨＤＤレコーダ１の各部材の駆動を有機的に制御することにより映像情
報処理（コンテンツの録画、或いは再生等）を統括制御するための中央処理装置である。
また制御部１１は、各装置（例えばＨＤＤ１３等）の制御やデータの計算、加工処理等を
行なう中枢部分となっている。
【００２６】
メモリ１２は、ＨＤＤレコーダ１が保持する各種データを一時的に記憶する媒体であり
、例えば書込可能なＲＡＭ（Random Access Memory）等により構成されている。メモリ１
２は、例えば制御部１１によって各種情報処理が行われる際の処理データや、ユーザーか
ら受けた指示命令等を一時的に記憶しておくためのバッファメモリとしての役割を持つ。
【００２７】
ＨＤＤ１３は、ＨＤＤレコーダ１が保持する各種データ（映像データ、および管理デー
タ等）を記録するための磁気記憶媒体である。なお、ＨＤＤ１３は、複数の領域（パーテ
ィション）に物理的に分割されており、記憶するデータの種別（映像データ、管理データ
等）に応じて領域別に記憶することがより望ましい。
【００２８】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００２９】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００３０】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００３１】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００３２】
プログラム記憶部１８は、例えば制御部１１を用いた各種処理（例えば映像データの入
出力制御等）を行うためのプログラムデータを記憶するための媒体であり、例えば情報の
読み出しのみが可能なＲＯＭ（Read Only Memory）等が用いられる。
【００３３】
操作ボタン群２１は、ユーザーが番組の録画および再生等の各種指示をＨＤＤレコーダ
１に対して行なうための入力インターフェースである。フロントパネル２２は、ＨＤＤレ
コーダ１の各種情報をユーザーに対して表示するためのユーザーインタフェースである。
〈１−２．周期録画設定の設定解除工程について〉
ここで、本発明のＨＤＤレコーダ１における周期録画設定の設定解除工程を、図１のフ
ロー図と、図４のブロック図とを用いながら説明する。
【００３４】
図１に示すように、制御部１１がユーザーからの再生開始指示を検知することにより、
本処理が開始される（Ｓ１０）。なお、再生開始指示は、例えばユーザーが操作ボタン群
２１を用いて再生操作を行なった場合等に発行される。
【００３５】
再生開始指示を受けた制御部１１は、次に再生停止指示を受信するまで、映像の再生処
理を行う。再生停止指示を検知した制御部１１は、映像の再生を停止し、次の処理に移行
する（Ｓ２０）。なお、なお、再生停止指示は、例えばユーザーが操作ボタン群２１を用
いて停止操作を行なった場合等に発行される。
【００３６】
上記Ｓ２０において再生処理の停止を行った制御部１１は、停止を行ったコンテンツ（
番組）が周期予約コンテンツ（エピソード予約等の自動録画設定がなされているコンテン
ツ）であるかどうかを確認する（Ｓ３０）。周期予約コンテンツである場合は、次のＳ４
０の処理に進む。周期予約コンテンツでない場合は、本処理を終了する。なお、周期予約
コンテンツであるかどうかの確認方法としては、例えば再生停止したコンテンツに付加さ
れているコンテンツ名が、予約録画機能によって作成された周期予約コンテンツ一覧に登
録されているコンテンツ名と一致するか確認を行う方法等が挙げられる。
【００３７】
上記Ｓ３０において、再生停止が行われたコンテンツが周期予約コンテンツであると確
認された場合、制御部１１は外部モニター等を使用して、ユーザーに対して再生停止が行
われたコンテンツの周期予約の設定解除確認メッセージを表示する（Ｓ４０）。設定解除
確認メッセージの内容としては、例えば「このコンテンツの録画予約を消去しますか？」
等を用いる。これに対してユーザーは、「はい」あるいは「いいえ」等の選択肢を選択す
ることにより、周期予約の消去の可否を制御部に対して通知する。
【００３８】
上記Ｓ４０において、周期予約の解除を示す指示をユーザーから受けた（上記メッセー
ジに対して「はい」が選択された）場合（Ｓ５０）、制御部１１は当該コンテンツの周期
予約を消去、もしくは設定解除を行い、今後周期予約による自動録画が行われないように
する（Ｓ６０）。上記Ｓ４０において、周期予約の解除を示す指示をユーザーから受けな
かった（「いいえ」を選択された）場合、周期予約の解除は行われず、本処理を終了する
。
〈１−３．本発明の種々ある特徴について〉
本実施形態によると、
映像再生中に再生処理が中断された場合（Ｓ２０）に、再生中であったコンテンツが、
周期予約されているコンテンツであるかどうかを確認し（Ｓ３０）、周期予約コンテンツ
である場合、ユーザーに対して周期予約の解除を確認するメッセージを表示させる（Ｓ４
０）。
【００３９】
この結果、ユーザーは、現在視聴しているコンテンツの放送が既に終了しており、今後
は周期予約が必要でない場合に、周期予約の解除を確実に行うことができる。このため、
周期予約設定の消去忘れにより、余分な録画処理が行われることを未然に防ぐことが可能
である。
［実施の形態２］
〈２−１．ＨＤＤレコーダの内部構成について〉
実施の形態１と同内容であるため、ここでは説明を省略する。
〈２−２．周期録画設定の設定解除工程について〉
ここで、本発明のＨＤＤレコーダ１における周期録画設定の設定解除工程を、図２のフ
ロー図と、図４のブロック図とを用いながら説明する。なお、実施の形態１と同内容であ
る処理については、同じ処理番号を付加することにより説明を省略するものとする。
【００４０】
処理Ｓ１０からＳ３０については、実施の形態１と同内容であるため、説明を省略する
。Ｓ３０において、当該コンテンツ（ユーザーが再生途中で再生中断したコンテンツ）が
周期予約タイトルであると判断された場合、制御部１１は、当該コンテンツが、同名コン
テンツ（当該コンテンツとコンテンツ名は同じであるが、話数等の一部識別情報が相違す
るコンテンツ）の中で最新のコンテンツであるかどうかの確認を行う（Ｓ３５）。
【００４１】
具体的に説明すると、例えば、当該コンテンツが全１３話の連続ドラマのうちの一話で
あり、かつ周期予約が設定されているコンテンツであったとする。そしてこの連続ドラマ
は、現在第１０話まで放送および録画が行われていたとする。仮に、当該コンテンツ（ユ
ーザーが再生中断を行ったコンテンツ）が、前記連続ドラマの第７話であったとする。こ
の場合、当該コンテンツは同名コンテンツの中で最新のコンテンツ（第１０話）とは一致
しないため、最新のコンテンツとはみなされない。逆に、当該コンテンツが前記連続ドラ
マの第１０話であった場合、当該コンテンツは同名コンテンツの中で最新のコンテンツと
みなされる。
【００４２】
上記Ｓ３５において、当該コンテンツが同名コンテンツの中で最新のコンテンツである
と判断された場合、次のＳ４０に移行する。最新でないと判断された場合は、本処理を終
了する。なお、Ｓ４０以降の処理については、実施の形態１と同内容であるため、ここで
は説明を省略する。
〈２−３．本発明の種々ある特徴について〉
本実施形態によると、
映像再生中に再生処理が中断された場合に（Ｓ２０）、再生中であったコンテンツが、
周期予約されており、かつ最新のコンテンツであるかどうかを確認し（Ｓ３５）、前記両
方の条件を満たす場合に、ユーザーに対して周期予約の解除を確認するメッセージを表示
させる（Ｓ４０）。
【００４３】
この結果ユーザーは、再生しているコンテンツの放送が既に終了しており、今後は周期
予約が必要でない場合に、周期予約の解除を確実に行うことができる。また、古いコンテ
ンツが再生されている場合は確認メッセージ（周期予約を解除を行うかどうかをユーザー
に選択させるためのメッセージ）が表示されず、最新のコンテンツが再生されている場合
のみ確認メッセージが表示される。このため、例えば複数のコンテンツを連続で再生する
場合などに、コンテンツ毎に何度も同じ確認メッセージが表示され、ユーザーに対して何
度も同じ操作を行わせるといった弊害を防ぐことが可能である。
［実施の形態３］
〈３−１．ＨＤＤレコーダの内部構成について〉
実施の形態１と同内容であるため、ここでは説明を省略する。
〈３−２．周期録画設定の設定解除工程について〉
ここで、本発明のＨＤＤレコーダ１における周期録画設定の設定解除工程を、図３のフ
ロー図と、図４のブロック図とを用いながら説明する。なお、実施の形態１および実施の
携帯２と同内容である処理については、同じ処理番号を付加することにより説明を省略す
るものとする。
【００４４】
処理Ｓ１０からＳ２０については、実施の形態１と同内容であるため、説明を省略する
。Ｓ２０において、当該コンテンツ（ユーザーが再生途中で再生中断したコンテンツ）の
中断処理を行った後、制御部１１は、当該コンテンツの再生割合が予め定められた合を越
えているかどうかの確認を行う（Ｓ２５）。越えている場合、次のＳ３０に移行する。越
えていない場合、本処理を終了する。なお、Ｓ３０以降の処理については、実施の形態１
と同内容であるため、ここでは説明を省略する。
【００４５】
具体的に説明すると、例えば、当該コンテンツが一話が６０分の連続ドラマであったと
する。そして、このコンテンツを５０％以上再生した場合のみ、確認メッセージ（周期予
約を解除を行うかどうかをユーザーに選択させるためのメッセージ）を表示させるように
、予め設定されていたとする。ユーザーからの再生停止指示を受信した段階で、２０分の
再生を行っていたとする。この場合、当該コンテンツの再生割合が５０％を下回るため、
確認メッセージは表示されない。逆に、ユーザーからの再生停止指示を受信した段階で、
４０分の再生を行っていたとする。この場合、当該コンテンツの再生割合が５０％を越え
るため、確認メッセージが表示される。
〈３−３．本発明の種々ある特徴について〉
本実施形態によると、
映像再生中に再生処理が中断された場合に（Ｓ２０）、再生中であったコンテンツが、
予め定められた再生割合を超えて再生されている場合にのみ（Ｓ２５）、ユーザーに対し
て周期予約の解除を確認するメッセージを表示させる（Ｓ４０）。
【００４６】
この結果ユーザーは、再生割合が一定を越えない限り確認メッセージされないため、例
えばあるコンテンツの再生中に何度も再生停止を行った場合等に、再生停止が行われる毎
に何度も同じ確認メッセージが表示され、ユーザーに対して何度も同じ操作（周期予約設
定を消去するかどうかの選択）を行わせるといった弊害を防ぐことが可能である。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００４７】
例えば前述した実施形態の機能を実現するソフトウェアのプログラムコードを記録した
記憶媒体を、ＨＤＤレコーダ１に供給し、そのＨＤＤレコーダ１内のコンピュータ（例え
ばＣＰＵ）が記憶媒体に格納されたプログラムコードを読出し実行することによっても、
達成されることは言うまでもない。
【００４８】
この場合、記憶媒体から読出されたプログラムコード自体が、前述した実施形態の機能
を実現することになり、そのプログラムコードを記憶した記憶媒体は本発明を構成するこ
とになる。
【００４９】
なお、プログラムコードを供給するための記憶媒体としては、例えば、フロッピディス
ク、ＨＤＤ、光ディスク、光磁気ディスク、ＣＤ−ＲＯＭ、ＣＤ−Ｒ、磁気テープ、不揮
発性のメモリカード、ＲＯＭなどを用いることができる。
【００５０】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００５１】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００５２】
また、本発明の映像情報処理方法が、ＨＤＤレコーダ以外の映像処理装置において用い
られたとしても、同様の効果がえられることは言うまでもない。なお、映像情報処理装置
としては、例えばＤＶＤレコーダ、ビデオテープレコーダ（ＶＴＲ）、ＤＶレコーダ、パ
ソコン、デジタルビデオカメラ、などが挙げられる。
【図面の簡単な説明】
【００５３】
【図１】本発明のＨＤＤレコーダによる実施の形態１の処理フロー図である。
【図２】本発明のＨＤＤレコーダによる実施の形態２の処理フロー図である。
【図３】本発明のＨＤＤレコーダによる実施の形態３の処理フロー図である。
【図４】本発明のＨＤＤレコーダ内部の要部構成を示したブロック図である。
【符号の説明】
【００５４】
１      ＨＤＤレコーダ（映像情報処理装置）
１１    制御部
１２    メモリ
１３    ＨＤＤ（記憶部）
１４    データ入力部
１５    エンコーダ部
１６    デコーダ部
１７    データ出力部
１８    制御プログラム記憶部
【図１】
2007058909.tif 000003
【図２】
2007058909.tif 000004
【図３】
2007058909.tif 000005
【図４】
2007058909.tif 000006